(57)【要約】【課題】多灯マニュアル撮影時の各ストロボ発光装置に対する適正な発光量の設定を容易に行えるようにする。【解決手段】複数のストロボ発光装置で順次予備発光を行った際の被写体からの反射光を測光し、その測光結果と、上記複数のストロボ発光装置に対してそれぞれマニュアルで設定された発光量及び撮像装置に対してマニュアルで設定された絞り値及び撮影感度との差分量を算出する。そして、その差分量に応じて、少なくともマニュアルで設定された発光量を自動的に変更する。【選択図】図７
2011059406.tif 000002
【特許請求の範囲】
【請求項１】
撮像装置と複数のストロボ発光装置を用いて撮影を行う撮影システムであって、
前記複数のストロボ発光装置に対して発光量を設定するための第１の設定操作手段と、
前記撮像装置に対して絞り値、及び撮影感度を設定するための第２の設定操作手段と、
被写体からの反射光を測光する測光手段と、
前記測光手段で得られた測光結果と前記第２の設定操作手段により前記撮像装置に対して設定された絞り値、撮影感度とに基づいて、前記複数のストロボ装置の適正光量をそれぞれ算出する算出手段と、
前記第１の設定操作手段により設定された発光量と前記算出手段により算出された適正光量との差分に応じて、前記第１の設定操作手段により設定された発光量を変更する変更手段と、
を有することを特徴とする撮影システム。
【請求項２】
前記変更手段は、前記第１の設定操作手段により設定された前記複数のストロボ発光装置の発光量の光量比を維持したまま、前記第１の設定操作手段により設定された発光量を変更することを特徴とする請求項１に記載の撮影システム。
【請求項３】
前記算出手段は、前記複数のストロボ発光装置のいずれかで予備発光を行った際の測光結果と、前記第１の設定操作手段により設定された発光量の光量比とに基づいて、前記複数のストロボ装置の適正光量をそれぞれ算出することを特徴とする請求項１または２に記載の撮影システム。
【請求項４】
前記算出手段は、前記複数のストロボ発光装置のそれぞれで予備発光を行い、予備発光を行った際のそれぞれの測光結果と、前記第１の設定操作手段により設定された発光量の光量比とに基づいて、前記複数のストロボ装置の適正光量をそれぞれ算出することを特徴とする請求項１または２に記載の撮影システム。
【請求項５】
前記適正光量が、対応するストロボ発光装置で発光できない光量である場合、前記絞り値、又は撮影感度を変更する露出制御手段を有することを特徴とする請求項１ないし４のいずれか１項に記載の撮影システム。
【請求項６】
前記適正光量が、対応するストロボ発光装置で発光し得ない光量である場合に、前記絞り値、又は撮影感度を変更する変更モードと、前記絞り値、及び撮影感度を変更せずに警告情報を表示する警告モードとを有することを特徴とする請求項５に記載の撮影システム。
【請求項７】
発光量を設定するための第１の設定操作手段を有する複数のストロボ発光装置を用いた撮影が可能な撮像装置であって、
絞り値、及び撮影感度を設定するための第２の設定操作手段と、
被写体からの反射光を測光する測光手段と、
前記測光手段で得られた測光結果と前記第２の設定操作手段により前記撮像装置に対して設定された絞り値、撮影感度とに基づいて、前記複数のストロボ装置の適正光量をそれぞれ算出する算出手段と、
前記第１の設定操作手段により設定された発光量と前記算出手段により算出された適正光量との差分に応じて、前記第１の設定操作手段により設定された発光量を変更する変更手段と、
を有することを特徴とする撮像装置。
【発明の詳細な説明】
【技術分野】
【０００１】
本発明は、撮影システム、及び撮像装置に関し、特に、多灯マニュアル撮影時の発光量の制御技術に関する。
【背景技術】
【０００２】
ストロボ光を被写体に照射して撮影する所謂ストロボ撮影においては、デジタルカメラがストロボ光の発光量を自動的に設定する自動調光撮影と、手動でストロボ光の発光量を設定するマニュアル撮影が行われている。
【０００３】
自動調光撮影では、例えば特許文献１に記載のように、撮影に先立ってプリ発光を行い、そのプリ発光による被写体からの反射光を測光して、絞り、ＩＳＯ感度に応じた適正な本発光量を算出し、この算出された適正な本発光量で実際の撮影を行っている。
【０００４】
自動調光撮影は、ユーザにとって簡単にストロボ撮影を行えるが、被写体の反射率の影響を受けたり、被写体の位置、構図等に応じて、ストロボ光の発光量が安定しなかったりする場合もある。従って、被写体との距離が変化しない商品撮影や、モデル撮影などの撮影においては、安定したストロボ露出を得るために、ストロボ光の発光量を固定して撮影するマニュアル撮影が用いられる場合が多くなっている。
【０００５】
また、商品撮影など本格的な撮影の場合は、一般に、複数のストロボ発光装置を用いて、各ストロボ発光装置のストロボ光の光量を調整しながら撮影する多灯撮影が行われている。この多灯撮影は、デジタルカメラにより複数のストロボ発光装置を制御するための通信を、有線ではなく特許文献２のように無線で行うものも実現されて利用し易くなってきており、プロの写真家だけでなく、アマチュアの写真家の間でも行われるようになってきた。
【先行技術文献】
【特許文献】
【０００６】
【特許文献１】特開平０９−０６１８９８号公報
【特許文献２】特開２０００−０８９３０６号公報
【発明の概要】
【発明が解決しようとする課題】
【０００７】
しかしながら、例えば、傘、トレーシングペーパー等でストロボ光が拡散されるなど、マニュアル撮影では、ストロボ発光装置それ自体のガイドナンバーと被写体距離、ＩＳＯ感度、絞り等によってストロボ光の適正発光量を決定することが困難である。
【０００８】
従って、多灯マニュアル撮影では、例えば、主灯となるストロボ発光装置を最大光量でテスト発光させて、ストロボメータで絞りを決め、必要に応じて主灯の発光量も設定し直していた。そして、サブ灯１、サブ灯２、バック灯といったように、他のストロボ発光装置を順次、テスト発光させながら、それら各ストロボ発光装置の発光量を設定していた。
【０００９】
また、デジタルカメラでは、撮影画像を直ちに確認できるので、各ストロボ発光装置の光量を適当に決めてテスト撮影し、その撮影画像を見ながら、適宜、各ストロボ発光装置の発光量を設定変更していく場合もあった。
【００１０】
このように、従来は、多灯マニュアル撮影時に各ストロボ発光装置に対して発光量を設定する設定操作は、非常に面倒であった。
【００１１】
本発明は、このような技術的な背景の下になされたもので、その目的は、多灯マニュアル撮影時の各ストロボ発光装置に対する適正な発光量の設定を容易に行えるようにすることにある。
【課題を解決するための手段】
【００１２】
上記目的を達成するため、本発明にかかる撮影システムは、撮像装置と複数のストロボ発光装置を用いて撮影を行う撮影システムであって、前記複数のストロボ発光装置に対して発光量を設定するための第１の設定操作手段と、前記撮像装置に対して絞り値、及び撮影感度を設定するための第２の設定操作手段と、被写体からの反射光を測光する測光手段と、前記測光手段で得られた測光結果と前記第２の設定手段により前記撮像装置に対して設定された絞り値、撮影感度とに基づいて、前記複数のストロボ装置の適正光量をそれぞれ算出する算出手段と、前記第１の設定操作手段により設定された発光量と前記算出手段により算出された適正光量との差分に応じて、前記第１の設定操作手段により設定された発光量を変更する変更手段と、を有することを特徴とする。
【００１３】
また、上記目的を達成するため、本発明にかかる撮像装置は、発光量を設定するための第１の設定操作手段を有する複数のストロボ発光装置を用いた撮影が可能な撮像装置であって、絞り値、及び撮影感度を設定するための第２の設定操作手段と、被写体からの反射光を測光する測光手段と、前記測光手段で得られた測光結果と前記第２の設定操作手段により前記撮像装置に対して設定された絞り値、撮影感度とに基づいて、前記複数のストロボ装置の適正光量をそれぞれ算出する算出手段と、前記第１の設定操作手段により設定された発光量と前記算出手段により算出された適正光量との差分に応じて、前記第１の設定操作手段により設定された発光量を変更する変更手段と、を有することを特徴とする。
【発明の効果】
【００１４】
本発明によれば、多灯マニュアル撮影時の各ストロボ発光装置に対する適正な発光量の設定を容易に行うことが可能となる。
【図面の簡単な説明】
【００１５】
【図１】本発明のストロボ制御装置を適用した撮影システムの概略構成を示すブロック図である。
【図２】図１の撮影システムにおけるストロボ装置（マスターストロボ）の外観構成を示す図である。
【図３】上記のストロボ装置の概略構成を示すブロック図である。
【図４】上記のストロボ装置の外観構成を示す図である。
【図５】多灯ストロボ撮影における各ストロボのセッティング例を示す図である。
【図６】ストロボ装置の表示器の表示内容例を示す図である。
【図７】設定光量が絶対光量の場合の露出決定処理を示すフローチャートである。
【図８】図７の露出決定処理の過程でマスターストロボが行う通信と発光動作を示すタイムチャートである。
【図９】図７,１１,１２の露出決定処理の過程でマスターストロボの表示器に表示する表示内容例を示す図である。
【図１０】設定光量が相対光量の場合の露出決定処理を示すフローチャートである。
【図１１】図１１の続きのフローチャートである。
【図１２】図１０，１１の露出決定処理の過程でマスターストロボが行う通信と発光動作を示すタイムチャートである。
【図１３】測光結果に基づいて各ストロボ装置の発光量（本発光量：適正光量）が一旦設定された後、ユーザが絞り値を変更した場合の処理を示すフローチャートである。
【発明を実施するための形態】
【００１６】
以下、本発明を実施するための形態を、図面に基づいて説明する。図１は、本発明のストロボ制御装置を適用した撮影システムの概略構成を示すブロック図である。
【００１７】
図１に示した撮影システムは、撮像装置としてのデジタル一眼レフカメラ（以下、カメラ本体という）１００、交換レンズ２００、ストロボ発光装置（以下、ストロボ装置という）４００を有している。カメラ本体１００には、交換レンズ２００、ストロボ装置４００の他に、電源部８６、及び外部記録媒体１２０を着脱自在に装着することができる。
【００１８】
なお、図１では、ストロボ装置４００は、カメラ本体１００に有線（コネクタ）接続されたものが１つだけ図示しているが、カメラ本体１００は、無線通信機能を有しており、複数のストロボ装置を無線接続することができ、所謂、マニュアル多灯撮影が可能である。
【００１９】
カメラ本体１００の内部の撮像光路には、メインミラー１が配置されている。このメインミラー１は、ハーフミラーとして構成され、交換レンズ２００を介して入力された被写体の光学像（以下、被写体像という）の半分を透過させ、残りの半分を反射させる。この透過された被写体像は、撮像系のサブミラー（ハーフミラー）３と、フォーカルプレンシャッタ９及び撮像素子１４に入射される。なお、メインミラー１は、ミラー制御部４１による駆動制御でアップ／ダウンされ、光路に対する進入／退出の駆動が行われる。
【００２０】
一方、メインミラー１により反射された被写体像は、ファインダ系のピント板２を介してペンタプリズム４に入射される。ペンタプリズム４は、被写体像の進行方向を変更し、アイピース（接眼レンズ）５、結像レンズ６及び測光センサ７に入射させる。ピント板２上には、メインミラー１で反射された被写体像が視認可能に結像され、ユーザは、アイピース５を介してピント板２上の被写体像を観察することができる。結像レンズ６及び測光センサ７は、撮像画面内の被写体輝度を測定するために利用される。
【００２１】
撮像系のサブミラー（ハーフミラー）３により反射された被写体像は、焦点検出ユニット８に入射され、サブミラー３を透過した被写体像は、撮像素子１４に向けて進んでいく。焦点検出ユニット８の出力信号は、システムコントローラ５０に入力される。
【００２２】
撮像素子１４は、ＣＣＤセンサ、ＣＭＯＳセンサ等の固体撮像素子により構成され、フォーカルプレンシャッタ９の開閉動作によって、必要な時間だけ、サブミラー３を透過した被写体像により露光される。撮像素子１４は、入射された被写体像を光電変換し、アナログの画像信号として出力する。このアナログの画像信号は、Ａ／Ｄ変換器１６によりデジタルの画像信号に変換されて、デジタルの画像データとして画像処理回路２０、メモリ制御回路２２に入力される。
【００２３】
なお、撮像素子１４、Ａ／Ｄ変換器１６、及び後述のＤ／Ａ変換器２６の駆動制御は、タイミング信号発生回路１８からのタイミング信号に基づいて行われる。また、タイミング信号発生回路１８によるタイミング信号の発生制御は、システムコントローラ５０の制御の下に、メモリ制御回路２２により行われる。
【００２４】
画像処理回路２０は、撮像素子１４にて撮像された画像データに対して画素補間処理、色変換処理等の各種の画像処理を施し、メモリ制御回路２２に出力する。また、画像処理回路２０は、メモリ３０、外部記録媒体１２０等に記録され、メモリ制御回路２２を介して入力された画像データに対して、画像表示部２８に表示するための画像処理等を行う。さらに、画像処理回路２０は、Ａ／Ｄ変換器１６から出力される画像データを用いて所定の演算処理を行う。システムコントローラ５０は、この演算結果に基づいて、シャッタ制御部４０、交換レンズ２００、及びストロボ装置４００を制御する。
【００２５】
メモリ制御回路２２は、Ａ／Ｄ変換器１６、タイミング信号発生回路１８、画像処理回路２０、画像表示メモリ２４、Ｄ／Ａ変換器２６、メモリ３０及び圧縮・伸長回路３２を制御する。Ａ／Ｄ変換器１６から出力された画像データは、画像処理回路２０及びメモリ制御回路２２を介して、又はメモリ制御回路２２のみを介して画像表示メモリ２４又はメモリ３０に書き込まれる。
【００２６】
画像表示部２８は、Ｄ／Ａ変換器２６によりアナログ信号に変換され、画像表示メモリ２４に書き込まれた画像信号を逐次表示することで、電子ビューファインダ（ＥＶＦ）機能を実現する。なお、画像表示部２８は、システムコントローラ５０の指示により、電子ビューファインダ（ＥＶＦ）機能をＯＮ／ＯＦＦする。
【００２７】
メモリ３０は、撮像に係る静止画像を格納する。また、メモリ３０は、動画撮影時に所定レートで連続的に外部記録媒体１２０に書き込まれる画像データのフレームバッファとして使用される。さらに、メモリ３０は、システムコントローラ５０の作業領域としても使用される。
【００２８】
圧縮・伸長回路３２は、公知の画像圧縮方法を用いて画像データを圧縮・伸長する。圧縮・伸長回路３２は、メモリ３０に格納された画像を読み込んで圧縮処理又は伸長処理を行い、処理を終えたデータを再びメモリ３０に書き込む。
【００２９】
システムコントローラ５０は、ＣＰＵや演算用のメモリを含み、カメラ本体１００の動作を全体的に制御する。システムコントローラ５０には、メモリ５２、表示部５４、不揮発性メモリ５６、光通信部７２、コネクタ７３、モードダイアル６０、シャッタスイッチ６２、マルチ設定スイッチ６６、クイックレビュースイッチ６８、操作部７０、着脱センサ９８等が接続される。
【００３０】
メモリ５２には、システムコントローラ５０の動作用の定数、変数、コンピュータプログラム（基本プログラム）等が記憶されている。表示部５４は、液晶表示パネル等により構成され、システムコントローラ５０がプログラムを実行する際に、その動作状態、メッセージ等を表示するために利用される。なお、表示部５４には、シングルスショット／連続撮影、セルフタイマ、圧縮率、記録画素数、記録枚数、残記録枚数、合焦度、手振れ警告、シャッタスピード、絞り値、露出補正、フラッシュ（ストロボ）等の情報が表示される。
【００３１】
なお、表示部５４に表示される情報の一部は、アイピース５より覗く、ファインダ内のピント板２下部にも表示される。このピント板２に表示される情報としては、合焦度、手振れ警告、ストロボ充電、シャッタスピード、絞り値、露出補正等の情報が挙げられる。
【００３２】
その他、表示部５４に表示される情報のうち、ピント板２下部にも表示される情報としては、マニュアル多灯撮影時に、ユーザが各ストロボ装置に対して設定した光量（光量比）も挙げられる。さらに、それらユーザ設定に係る光量を、プリ発光（予備発光）時の測光結果に基づいてカメラ本体１００にて自動的に設定変更した場合の変更結果も、ピント板２下部に表示される。
【００３３】
不揮発性メモリ５６は、電気的に消去・記録可能なＥＥＰＲＯＭ等で構成され、コンピュータプログラム等の格納用メモリとして使用される。この場合、当然ながら、コンピュータプログラムは、コンピュータ読取可能に不揮発性メモリ５６に格納される。このコンピュータプログラムには、後述する図７、図１１、図１３〜１５、図１８のフローチャートに係るコンピュータ実行可能に構成されたアプリケーションプログラムが含まれる。不揮発性メモリ５６には、モードダイアル６０、操作部７０の操作で設定された撮影モード、各ストロボ装置の光量比等の情報も格納される。
【００３４】
モードダイアル６０は、マニュアル多灯撮影、自動調光撮影、絞り優先／シャッタ／プログラムＡＥ等の各種の撮影モードを切り替え設定するために用いられる。シャッタスイッチ６２は、レリーズボタン（図示省略）に連結され、このレリーズボタンの半押しによってＯＮとなり、ＡＦ処理、ＡＥ処理、ＡＷＢ処理、ＥＦ処理等の動作開始をシステムコントローラ５０に指示する第１のスイッチＳＷ１を有している。また、シャッタスイッチ６２は、レリーズボタンの全押しによってＯＮとなり、露光処理、現像処理及び記録処理からなる一連の撮像処理の動作開始をシステムコントローラ５０に指示する第２のスイッチＳＷ２を有している。
【００３５】
なお、本実施の形態では、ストロボ装置４００を用いて撮影する場合には、第１のスイッチＳＷ１のＯＮにより予備発光が行われ、第２のスイッチＳＷ２のＯＮにより本発光が行われる。
【００３６】
マルチ設定スイッチ６６は、当該マルチ設定スイッチ６６の機能をユーザが様々に設定することができるスイッチである。例えば、マルチ設定スイッチ６６には、マニュアル多灯撮影モード時に、ユーザが設定した各ストロボ装置の光量を自動的に適正光量に変更する機能を設定することができる。クイックレビュースイッチ６８は、撮影した画像データを、撮影直後に画像表示部２８に自動再生表示するクイックレビュー機能をＯＮ／ＯＦＦするためのスイッチである。
【００３７】
操作部７０は、再生ボタン、メニューボタン、セットボタン、マクロボタン、マルチ画面再生改ページボタン、単写／連写／セルフタイマ切り替えボタン、メニュー移動＋（プラス）ボタン、メニュー移動−（マイナス）ボタンを有している。また、操作部７０は、再生画像移動＋（プラス）ボタン、再生画像−（マイナス）ボタン、撮影画質選択ボタン、撮影感度設定ボタン（第２の設定操作手段）、露出補正ボタン、日付／時間設定ボタン等のボタンも有している。システムコントローラ５０は、操作部７０からの信号に応じて各種動作を行う。着脱センサ９８は、コネクタ９２，１２６に外部記録媒体１２０が装着されているか否かを検出するセンサである。
【００３８】
光通信部７２は、ＲＳ２３２Ｃ、ＵＳＢ、ＩＥＥＥ１３９４、無線通信等の各種通信機能を有する。この光通信部７２は、有線で通信を行う場合は、コネクタ７３を介して通信相手の機器と接続される。本実施の形態では、特に、光通信部７２の光通信機能を利用して、マニュアル多灯撮影時の各ストロボ装置の光量等を設定している。
【００３９】
電源制御部８０は、電池検出回路、ＤＣ−ＤＣコンバータ、通電するブロック（デバイス）を切換えるスイッチ回路等により構成されている。電源制御部８０は、電池の装着の有無、電池の種類及び電池残量の検出を行い、その検出結果、及びシステムコントローラ５０の指示に基づいて、ＤＣ−ＤＣコンバータを制御し各種のＤＣ電圧を生成する。そして、電源制御部８０は、カメラ本体１００、交換レンズ２００、外部記録媒体１２０の各デバイスに対し、それらに必要なＤＣ電圧を必要な期間、供給する。
【００４０】
なお、電源部８６は、アルカリ電池やリチウム電池等の一次電池やＮｉＭＨ電池、Ｌｉ電池等の二次電池、ＡＣアダプター等により構成され、コネクタ８２，８４を介してカメラ本体１００と接続される。従って、カメラ本体１００、交換レンズ２００、外部記録媒体１２０の各デバイスには、上記の電池からのＤＣ電圧を供給することも可能である。
【００４１】
外部記録媒体１２０は、メモリカード、ハードディスク等で構成され、半導体メモリや磁気ディスク等から構成される記録部１２２、カメラ本体１００とのインタフェース１２４を有している。外部記録媒体１２０は、コネクタ９２，１２６を介してカメラ本体１００と電気的に接続され、インタフェース９０，１２４を介して、カメラ本体１００との間で各種の制御信号、画像データの授受が行われる。
【００４２】
交換レンズ２００は、フォーカスレンズ２０１、変倍レンズ２０７を有している。フォーカスレンズ２０１は、その光軸方向の位置をフォーカスモータ２０２で移動させて合焦させるためのレンズである。この合焦制御は、直接的には、フォーカス制御部２１１により行われる。この場合、フォーカス制御部２１１は、レンズ制御マイコン２０６、及びシステムコントローラ５０の制御の下に合焦制御を行う。
【００４３】
変倍レンズ２０７は、変倍のための焦点距離調整を行うレンズである。この変倍動作は、変倍レンズ２０７の光軸方向の位置をズームモータ２０８により変化させることで行われる。
【００４４】
この変倍動作の制御は、直接的には、ズーム制御部２１２により行われる。この場合、ズーム制御部２１２は、レンズ制御マイコン２０６、及びシステムコントローラ５０の制御の下に変倍動作制御を行う。
【００４５】
距離検出部２０３は、エンコーダにより構成され、フォーカスレンズ２０１の位置に基づいて被写体距離を検出するものである。絞り２０４は、撮影時の光量を調整するものであり、その絞り２０４による光量の調整は、絞りリング（第２の設定操作手段）の回転操作に応じて、絞り制御部２０５により絞りモータ２５０を駆動制御することで絞り２０４の開口度を調整することにより行われる。
【００４６】
次に、ストロボ装置４００の光学系の構成を図２に基づいて説明する。図２に示したように、ストロボ装置４００は、ストロボ光の発光体としてのキセノン管４５１を有している。キセノン管４５１から発光されたストロボ光は、反射板４７２で反射されるとともにフレネルレンズ４７１により集光されて好適な配光状態で被写体に向けて反射される。
【００４７】
また、キセノン管４５１から発光されたストロボ光は、反射ミラー４７３，４７４を介して、それぞれ、フォトダイオード４４５，４４８に入射される。フォトダイオード４４５は、キセノン管４５１から発光されたストロボ光の発光量をモニタするために利用される。フォトダイオード４４８は、キセノン管４５１からストロボ光を予備発光して適正発光量を決定する場合、及びストロボ光を本発光して実際の撮影を行う場合の発光量をモニタするために利用される。
【００４８】
なお、フォトダイオード４４８へのストロボ光の入射は、グラスファイバ４７６を介して行われる。また、ストロボ装置４００は、ストロボ接点群４２０（図３参照）を介して、カメラ本体１００と電気的に接続されて通信が行われる。
【００４９】
次に、ストロボ装置４００の制御系の構成を図３に基づいて説明する。ストロボ装置４００には、電源電池４０１により電源が供給される。電源電池４０１の出力電圧は、ＤＣ−ＤＣコンバータ４０２により数１００Ｖに昇圧される。昇圧された電圧（電気エネルギー）は、メインコンデンサ４０３に蓄積される。メインコンデンサ４０３の出力電圧は、分圧抵抗４０４，４０５により、所定比で分圧されて後段の発光制御回路に供給される。
【００５０】
この発光制御回路では、コイル４０６，４０８により発光電流が制限され、発光停止時にコイル４０６，４０８に発生する逆起電力は、それぞれダイオード４０７，４０９により吸収される。キセノン管４５１の発光タイミングは、ＩＧＢＴ等で構成された発光制御回路４１２により、トリガ発生回路４１１でのトリガ信号の発生タイミングを制御することにより行われる。
【００５１】
サイリスタ４１３は、コイル４０８に流入しようとする電流をバイパスさせるためのスイッチング素子として利用される。すなわち、サイリスタ４１３は、キセノン管４５１から短い光パルスを発光させる場合、及び発光停止時の停止制御性を高める場合に、コイル４０８に電流が流れないようにする。サイリスタ４１３のターンＯＮは、サイリスタ４１３のゲートに抵抗４１４を介して電流を流すことにより行われる。サイリスタ４１３のＯＦＦ状態は、抵抗４１５及びコンデンサ４１７により、サイリスタ４１３のゲート電位を安定させることで安定的に維持される。
【００５２】
コンデンサ４１６は、サイリスタ４１３を急速にＯＮさせる役割を担っている。サイリスタ４１３のゲート電流は、トランジスタ４１８によりＯＮ／ＯＦＦされ、トランジスタ４１８のＯＮ／ＯＦＦは、トランジスタ４２１により行われる。
【００５３】
フォトダイオード４４５，４４８は、キセノン管４５１の発光状態をモニタするために設けられている。すなわち、キセノン管４５１からのストロボ光は、フォトダイオード４４５，４４８により受光され、それぞれ測光回路４３４，４３６により光電変換される。この場合、測光回路４３６では、キセノン管４５１の発光量が圧縮積分される。
【００５４】
測光回路４３４の出力信号は、コンパレータ４３１に入力され、コンパレータ４３１の出力信号に基づいて、キセノン管４５１から光度がほぼ一定のフラット光を発光する際の光度が制御される。測光回路４３６の出力は、コンパレータ４３２に入力され、コンパレータ４３２の出力信号に基づいて、キセノン管４５１からストロボ光を発光する際の発光量が制御される。コンパレータ４３１，４３２の出力信号は、セレクタ４３０の選択動作により、選択的に発光制御回路４１２に供給される。
【００５５】
発光制御回路４１２は、ストロボマイコン４７０の制御に従ってキセノン管４５１の発光制御を行う。ストロボマイコン４７０の各種の制御動作は、スイッチ４４１、４４７〜４５５により設定することができる。
【００５６】
このうち、スイッチ４４１は、カメラ本体１００とのワイヤレス通信作モードを設定するスイッチである。スイッチ４４７は、表示器４６０を背面から照明するためのバックライトを点灯するためのスイッチである。スイッチ４４８aは、ストロボ光の発光モード、例えばオート発光、マニュアル発光、マルチ発光（多灯発光）等を選択・設定するためのスイッチである。スイッチ４４９は、設定すべき各種モードを選択・決定するスイッチである。
【００５７】
スイッチ４５０，４５１は、例えば、多灯撮影時のストロボ装置の数や発光量等の各種の設定値をそれぞれ増加，減少させるためのスイッチ（第１の設定操作手段）である。
【００５８】
スイッチ４５２は、ストロボ光の発光照射角を設定するためのスイッチである。スイッチ４５３〜４５５は、ストロボ光の発光照射角を読み出すためのスイッチである。
【００５９】
本ストロボ装置がスレーブストロボ装置として機能する場合は、マスターストロボ装置からの無線信号の受信は、フォトダイオード４５６、及び受光回路４５７を用いて行われる。また、本ストロボ装置がマスターストロボ装置として機能する場合は、カメラ本体１００との間の信号授受は、ストロボ接点群４２０を介して行われる。
【００６０】
ストロボマイコン４７０への電源供給は、電源スイッチ４４２によりＯＮ／ＯＦＦされる。
【００６１】
また、メインコンデンサ４０３の充電完了は、ＬＥＤ４４３により報知され、適正光量で撮影できた旨は、ＬＥＤ４４４により報知される。また、上記の発光照射角は、モータ４４６及びモータドライバ４４５を用いて変更制御される。
【００６２】
図４（ａ）に示したように、ストロボ装置４００の正面（被写体側）には、受光窓４５８が設けられ、図３に示した光通信用のフォトダイオード４５６は、この受光窓４５８の中に配置されている。また、図４（ｂ）に示したように、ストロボ装置４００の背面には、図３に示した表示器４６０が設けられている。さらに、ストロボ装置４００の背面には、図３に示したスイッチ４４１，４４２，４４７，４４８a，４４９，４５０，４５１，４５２が配備されている。
【００６３】
次に、光通信を利用して多灯撮影動作を制御する場合の各ストロボ装置の設定内容等を、図５、図６に基づいて説明する。
【００６４】
図５の例では、マスターとなるストロボ装置４００（以下、マスターストロボＭという）は、ホットシュー４８０を介してカメラ本体１００に接続されている。また、図５の例では、３台のスレーブストロボとなるストロボ装置４００（以下、スレーブストロボＳＡ，ＳＢ，ＳＣという）を併せて用いて多灯撮影を行っている。
【００６５】
マスターストロボＭは、当該マスターストロボＭのスイッチ４４１でワイヤレスマスターモードに設定されることでマスターストロボとして動作する。そして、マスターストロボＭは、キセノン管４５１をパルス発光させることにより、当該マスターストロボＭで設定された発光量等の各種の情報を各スレーブストロボＳＡ〜ＳＣに伝達する。
【００６６】
マスターストロボＭ、スレーブストロボＳＡ〜ＳＣの背面の表示器４６０には、図６のような情報が表示される。すなわち、マニュアル発光モードが設定された場合、マスターストロボＭの表示器４６０には、図６（ａ），（ｂ）に示したように、表示器４６０のモード表示セグメント４６０１に、マニュアル発光モードであることを示す「Ｍ」が表示される。
【００６７】
また、図４のスイッチ４４１により「マスター」が設定された場合は、図６（ａ），（ｂ）に示したように、矢印のアイコン４６０２は、外向きの形態となる。なお、「スレーブ」が設定された場合は、図６（ｃ）に示したように、アイコン４６０２の矢印方向は、内向きとなる。
【００６８】
また、表示器４６０のズーム表示部４６０３には、設定に係るズーム位置（発光照射角）が、レンズの規格を示す形態で表示される。図６（ａ）〜（ｃ）では、２４ｍｍレンズに対応する発光照射角である旨が表示されている。更に、表示器４６０には、設定に係る通信チャネルもチャネル表示セグメント４６０４に表示される。
【００６９】
また、表示器４６０には、多灯撮影に係る各ストロボ装置の発光量スケール４６０５，４６０６，４６０７が表示される。これら発光量スケール４６０５，４６０６，４６０７上には、ストロボ装置について設定された当該スケールに対応する発光量の位置を示す所定のマークが表示される。
【００７０】
マニュアル多灯撮影に係るストロボ装置の数（マスターストロボ以外のスレーブストロボの数）は、スイッチ４４９によりスレーブストロボの数を設定するモードを選択し、設定値を増加するスイッチ４５０、又は設定値を減少するスイッチ４５１により設定する。
【００７１】
光量モード表示セグメント４６０８には、設定された光量がスレーブストロボの絶対光量、或はカメラ側から見た相対光量の何れであるかが表示される。図６（ａ）では、光量モード表示セグメント４６０８には、設定された光量がスレーブストロボの絶対光量である旨が表示されている。また、図６（ａ）では、スレーブストロボＳＡに係る発光量スケール４６０５である旨を示す「Ａ」のセグメントを反転表示することで（符号４６０９参照）、絶対光量の基準となる光量がスレーブストロボＳＡの光量である旨が示されている。
【００７２】
図６（ｂ）では、光量モード表示セグメント４６０８には、設定された光量がスレーブストロボの相対光量である旨が表示されている。また、図６（ｂ）では、スレーブストロボＳＡに係る発光量スケール４６０５である旨を示す「Ａ」のセグメントを反転表示することで（符号４６０９参照）、相対光量の基準となる光量がスレーブストロボＳＡの光量である旨が示されている。
【００７３】
図６（ｃ）は、上記の絶対光量、相対光量の基準となる光量が設定されたスレーブストロボＳＡの表示器４６０の表示画面を示している。図６（ｃ）に示したように、絶対光量、又は相対光量の基準となる光量が設定されたスレーブストロボＳＡの表示器４６０には、グループを示す表示セグメント４６１０に、スレーブストロボである旨を示す「ＳＬＡＶＥ」が表示される。また、当該スレーブストロボが属するグループの識別情報「Ａ」が表示される。
【００７４】
以上の表示情報は、マスターストロボＭ、及び３つのスレーブストロボＳＡ，ＳＢ，ＳＣの発光量等をマスターストロボＭでマニュアル設定することで、光通信により、マスターストロボＭからスレーブストロボＳＡ〜ＳＣに伝達されて表示される。
【００７５】
次に、設定光量が絶対光量の場合の露出決定処理を、図７のフローチャート、及び図８のタイミングチャートを用いて説明する。図７のフローチャートに係る処理は、ストロボマニュアル露出の自動設定モードに設定されている場合に、マルチ設定スイッチ６６をオンすると、カメラ本体１００のシステムコントローラ５０により実行される。
【００７６】
ここでは、図６（ａ）に示したように、スレーブストロボＳＡが絶対光量の基準となる絶対光量モードとなるように設定されているものとする。すなわち、スレーブストロボＳＡの発光量を適正発光量の基準として、スレーブストロボＳＢは、その１段落ちの光量（スレーブストロボＳＡの１／２の発光量）、スレーブストロボＳＣは、２段落ちの光量（スレーブストロボＳＡの１／４の発光量）となる。
【００７７】
＜ステップＳ１０１＞
システムコントローラ５０は、通信線４９９（図１参照）を介して、マスターストロボＭに対して、スレーブストロボＳＡへのプリ発光（予備発光）指令を行うように要求する。すると、マスターストロボＭは、その要求に応えて、自己のキセノン管４５１をパルス発光させて光信号を発する光通信により、スレーブストロボＳＡに対してプリ発光指令コマンドを送信する。
【００７８】
具体的には、マスターストロボＭは、スレーブストロボＳＡに対して、図８のタイムチャートにおいて、時刻ｔ０に光信号パルス列ＰＡを発生し、時刻ｔ１にスタートパルスＳＰＡを発生する。この光信号パルス列ＰＡには、プリ発光指令コマンドだけでなく、送信先情報（ここでは、スレーブストロボＳＡの識別情報）、プリ発光の条件（発光量など）等の他の情報も含まれている。
【００７９】
＜ステップＳ１０２＞
スレーブストロボＳＡは、マスターストロボＭから受信した光信号パルス列により、自己に対する指令であると認識し、後続のスタートパルス（図８のＳＰＡ参照）を受信する。それにより、マスターストロボＭを介してカメラ本体１００から指令された条件で、プリ発光を行う。
【００８０】
＜ステップＳ１０３＞
システムコントローラ５０は、スレーブストロボＳＡのプリ発光に同期して、被写体からの反射光を測光センサ７で受光する。同時に、システムコントローラ５０は、マスターストロボＭからスレーブストロボＳＡに設定されているマニュアル発光量の設定値を受信する。また、設定された絞り値、撮影感度と測光結果とに基づいて適正な本発光量を算出する。そして、受信したマニュアル発光量と、該マニュアル発光量に対応する、測光結果を加味した適正な本発光量との露出偏差（差分量）を算出する。
【００８１】
なお、設定されたマニュアル発光量とプリ発光量の関係については、本実施の形態では、マニュアル発光量の如何に拘らず、フル発光量、すなわちスレーブストロボＳＡの最大発光量の１／ｎをプリ発光量とし、プリ発光量を一定の発光量に規定している。
【００８２】
このように、プリ発光量を一定としたのは、次の理由による。すなわち、設定されたマニュアル発光量に応じたプリ発光量とすると、そのマニュアル発光量が小さい場合は、プリ発光量が極めて小さくなってしまい、被写体とスレーブストロボＳＡの距離が離れると、正しく測光できなくなる可能性があるからである。
【００８３】
なお、プリ発光量を一定にしたとしても、設定されたマニュアル発光量が分かれば、測光結果を加味した当該マニュアル発光量に対応する適正発光量を算出することは可能である。また、算出したスレーブストロボＳＡのマニュアル発光量と適正発光量との露出偏差が、例えば＋２ＥＶであれば、スレーブＳＡ，ＳＢ、ＳＣの本発光量を２段ずつ減少させればよい。
【００８４】
＜ステップＳ１０４＞
ステップＳ１０３で算出した各ストロボの発光量の最小値が、それらストロボの制御可能範囲外である場合は、システムコントローラ５０は、ステップＳ１０５に進み、制御可能範囲内である場合は、ステップＳ１０８に進む。
【００８５】
＜ステップＳ１０５、Ｓ１０６、Ｓ１０７＞
システムコントローラ５０は、制御可能範囲外の算出発光量に係るストロボについて、オートシフトモード（変更モード）が設定されている場合は、ＩＳＯ感度、絞り等を適宜変更して、当該ストロボの制御可能範囲内の光量で撮影できるように設定する。（ステップＳ１０５，Ｓ１０７）。
【００８６】
一方、オートシフトモードが設定されていない場合は、システムコントローラ５０は、当該ストロボに係る発光量表示を点滅表示(図９（ｂ）の×マーク参照)することで、ユーザに警告する（ステップＳ１０５、Ｓ１０６：警告モード）。システムコントローラ５０は、ステップＳ１０６，叉はＳ１０７の処理を行った後、ステップＳ１０８に進む。
【００８７】
＜ステップＳ１０８＞
システムコントローラ５０は、ステップＳ１０３で算出された各ストロボＭ，ＳＡ，ＳＢ，ＳＣの適正光量を、各ストロボＭ，ＳＡ，ＳＢ，ＳＣに対して送信する（図８の時刻ｔ２の光パルスＰＤ参照）。この場合、スレーブストロボＳＡ，ＳＢ，ＳＣへの適正光量の送信は、マスターストロボＭが光通信により行う。
【００８８】
＜ステップＳ１０９＞
各ストロボＭ，ＳＡ，ＳＢ，ＳＣは、自己の設定発光量を受信に係る適正光量に設定し直す。図９（ａ）は、その際のマスターストロボＭの表示器４６０の表示画面を示し、図９（ｃ）は、スレーブストロボＳＡの表示器４６０の表示画面を示している。なお、図９（ｂ）は、ステップＳ１０６で説明したように、算出に係る適正光量が制御可能範囲外の光量となった場合のマスターストロボＭの表示器４６０での警告情報を含む表示画面を示している。
【００８９】
＜ステップＳ１１０、Ｓ１１１＞
その後、レリーズスイッチＳＷ２がＯＮされると、システムコントローラ５０は、マスターストロボＭ、及びマスターストロボＭを介してスレーブストロボＳＡ，ＳＢ，ＳＣに対して、本発光を指示する。この場合、マスターストロボＭは、光通信により、本発光指示コマンドをスレーブストロボＳＡ，ＳＢ，ＳＣに対して送信する（図８時刻ｔ３の光パルスＰＥ参照）。
【００９０】
そして、カメラ本体１００のシャッタが全開されると同時に、システムコントローラ５０は、マスターストロボＭ、及びマスターストロボＭを介してスレーブストロボＳＡ，ＳＢ，ＳＣに対して、本発光スタート信号を出力する。この場合、マスターストロボＭは、光通信により、本発光スタート信号をスレーブストロボＳＡ，ＳＢ，ＳＣに対して送信する（図８時刻ｔ４の光パルスＥＰ参照）。
【００９１】
これにより、ステップＳ１０９で設定した適正光量でマスターストロボＭ、スレーブストロボＳＡ〜ＳＣが本発光し、その本発光に係る光量の下で撮影動作が行われる。この場合、Ｓ１０９で設定した各ストロボ装置の適正光量は、原則として、ユーザが設定した各ストロボ装置の光量の光量比を維持したものとなる。ただし、制御可能範囲外の算出光量がある場合は、オートシフトモードが設定されていない場合だけでなく、オートシフトモードが設定されている場合であっても、ユーザが設定した各ストロボ装置の光量の光量比を維持できないときもある。
【００９２】
次に、設定光量が相対光量の場合の露出決定処理を、図１０，１１のフローチャート、及び図１２のタイミングチャートを用いて説明する。
【００９３】
図１０，１１のフローチャートに係る処理は、ストロボマニュアル露出の自動設定モードに設定されている場合に、マルチ設定スイッチ６６をオンすると、カメラ本体１００のシステムコントローラ５０により実行される。
【００９４】
ここでは、図６（ｂ）に示したように、スレーブストロボＳＡを相対光量の基準とする相対光量モードが設定されているものとする。相対光量モードは、前述した絶対光量モードのように各スレーブストロボの発光量が設定された光量比となるように発光量を制御するモードではなく、各スレーブストロボの発光による被写体の反射光が設定された光量比となるように発光量を制御するモードである。すなわち、スレーブストロボＳＡの発光量を適正発光量の基準として、スレーブストロボＳＢは、その１段落ちの反射光量となる発光量（スレーブストロボＳＡの１／２の反射光量）となるものとする。同様に、スレーブストロボＳＣは、２段落ちの反射光量となる発光量（スレーブストロボＳＡの１／４の反射光量）となるものとする。
【００９５】
要するに、第２の実施の形態は、被写体距離が各ストロボ装置間で異なる、或は、各ストロボ装置間でディフーズ時の光拡散効果が異なる等により、発光量と反射光量との対応関係が、各ストロボ装置間で異なる場合を想定している。
【００９６】
＜ステップＳ２０１＞
システムコントローラ５０は、通信線４９９（図１参照）を介して、マスターストロボＭに対して、スレーブストロボＳＡへのプリ発光（予備発光）指令を行うように要求する。すると、マスターストロボＭは、その要求に応えて、自己のキセノン管４５１をパルス発光させて光信号を発する光通信により、スレーブストロボＳＡに対してプリ発光指令コマンドを送信する。
【００９７】
具体的には、マスターストロボＭは、スレーブストロボＳＡに対して、図１２のタイムチャートにおいて、時刻ｔ０に光信号パルス列ＰＡを発生し、時刻ｔ１にスタートパルスＳＰＡを発生する。この光信号パルス列ＰＡには、プリ発光指令コマンドだけでなく、送信先情報（ここでは、スレーブストロボＳＡの識別情報）、プリ発光の条件（発光量など）等の他の情報も含まれている。
【００９８】
＜ステップＳ２０２＞
スレーブストロボＳＡは、マスターストロボＭから受信した光信号パルス列により、自己に対する指令であると認識し、後続のスタートパルス（図１２のＳＰＡ参照）を受信する。それにより、マスターストロボＭを介してカメラ本体１００から指令された条件で、プリ発光を行う。
【００９９】
＜ステップＳ２０３＞
システムコントローラ５０は、スレーブストロボＳＡのプリ発光に同期して、被写体からの反射光を測光センサ７で受光する。同時に、システムコントローラ５０は、マスターストロボＭからスレーブストロボＳＡに設定されたマニュアル発光量の設定値を受信する。そして、受信したマニュアル発光量と、測光結果に基づいて算出された適正な本発光量との露出偏差を算出する。
【０１００】
＜ステップＳ２０４＞
システムコントローラ５０は、マスターストロボＭに対して、スレーブストロボＳＢへのプリ発光（予備発光）指令を行うように要求する。すると、マスターストロボＭは、その要求に応えて、自己のキセノン管４５１をパルス発光させて光信号を発する光通信により、スレーブストロボＳＢに対してプリ発光指令コマンドを送信する。
【０１０１】
具体的には、マスターストロボＭは、スレーブストロボＳＢに対して、図１２のタイムチャートにおいて、時刻ｔ２に光信号パルス列ＰＢを発生し、時刻ｔ３にスタートパルスＳＰＢを発生する。この光信号パルス列ＰＢには、プリ発光指令コマンドだけでなく、送信先情報（ここでは、スレーブストロボＳＢの識別情報）、プリ発光の条件（発光量など）等の他の情報も含まれている。
【０１０２】
＜ステップＳ２０５＞
スレーブストロボＳＢは、マスターストロボＭから受信した光信号パルス列により、自己に対する指令であると認識し、後続のスタートパルス（図１２のＳＰＢ参照）を受信する。それにより、マスターストロボＭを介してカメラ本体１００から指令された条件で、プリ発光を行う。
【０１０３】
＜ステップＳ２０６＞
システムコントローラ５０は、スレーブストロボＳＢのプリ発光に同期して、被写体からの反射光を測光センサ７で受光する。同時に、システムコントローラ５０は、マスターストロボＭからスレーブストロボＳＢに設定されたマニュアル発光量の設定値を受信する。そして、受信したマニュアル発光量と、該マニュアル発光量に対応する、測光結果を加味した適正な本発光量との露出偏差を算出する。
【０１０４】
＜ステップＳ２０７＞
システムコントローラ５０は、マスターストロボＭに対して、スレーブストロボＳＣへのプリ発光（予備発光）指令を行うように要求する。すると、マスターストロボＭは、その要求に応えて、自己のキセノン管４５１をパルス発光させて光信号を発する光通信により、スレーブストロボＳＣに対してプリ発光指令コマンドを送信する。
【０１０５】
具体的には、マスターストロボＭは、スレーブストロボＳＣに対して、図１２のタイムチャートにおいて、時刻ｔ４に光信号パルス列ＰＣを発生し、時刻ｔ５にスタートパルスＳＰＣを発生する。この光信号パルス列ＰＣには、プリ発光指令コマンドだけでなく、送信先情報（ここでは、スレーブストロボＳＣの識別情報）、プリ発光の条件（発光量など）等の他の情報も含まれている。
【０１０６】
＜ステップＳ２０８＞
スレーブストロボＳＣは、マスターストロボＭから受信した光信号パルス列により、自己に対する指令であると認識し、後続のスタートパルス（図１２のＳＰＣ参照）を受信する。それにより、マスターストロボＭを介してカメラ本体１００から指令された条件で、プリ発光を行う。
【０１０７】
＜ステップＳ２０９＞
システムコントローラ５０は、スレーブストロボＳＣのプリ発光に同期して、被写体からの反射光を測光センサ７で受光する。同時に、システムコントローラ５０は、マスターストロボＭからスレーブストロボＳＣに設定されたマニュアル発光量の設定値を受信する。そして、受信したマニュアル発光量と、該マニュアル発光量に対応する、測光結果を加味した適正な本発光量との露出偏差を算出する。
【０１０８】
次に、システムコントローラ５０は、ステップＳ２０３，Ｓ２０６，Ｓ２０９で求めた露出偏差に基づいて、スレーブストロボＳＡの発光量を決定する。そして、システムコントローラ５０は、スレーブストロボＳＢの露出偏差、及びスレーブストロボＳＡに対するスレーブストロボＳＢの設定偏差（例えば、スレーブストロボＳＡに対して１段落ち等）を考慮して、スレーブストロボＳＢの発光量を決定する。システムコントローラ５０はスレーブストロボＳＣの発光量についても、スレーブストロボＳＢと同様の手法で決定する。
【０１０９】
＜ステップＳ２１０＞
ステップＳ２０９で決定した各ストロボ装置の発光量の最小値が、それらストロボ装置の制御可能範囲外である場合は、システムコントローラ５０は、ステップＳ２１１に進み、制御可能範囲内である場合は、ステップＳ２１４に進む。
【０１１０】
＜ステップＳ２１１、Ｓ２１２、Ｓ２１３＞
システムコントローラ５０は、制御可能範囲外の発光量に係るストロボについて、オートシフトモードが設定されている場合は、ＩＳＯ感度、又は絞り値、或はＩＳＯ感度と絞り値を適宜変更して、当該ストロボの制御可能範囲内の光量で撮影できるように設定する。ステップＳ２１１，Ｓ２１３参照。
【０１１１】
一方、オートシフトモードが設定されていない場合は、システムコントローラ５０は、当該ストロボに係る発光量表示を点滅表示することで、ユーザに警告する（ステップＳ２１１、Ｓ２１２）。システムコントローラ５０は、ステップＳ２１２，叉はＳ２１３の処理を行った後、ステップＳ２１４に進む。
【０１１２】
＜ステップＳ２１４＞
システムコントローラ５０は、ステップＳ２０９で決定された各ストロボＭ，ＳＡ，ＳＢ，ＳＣの発光量を、各ストロボＭ，ＳＡ，ＳＢ，ＳＣに対して送信する（図１２の時刻ｔ６の光パルスＰＤ参照）。この場合、スレーブストロボＳＡ，ＳＢ，ＳＣへの発光量の送信は、マスターストロボＭが光通信により行う。
【０１１３】
＜ステップＳ２１５＞
各ストロボＭ，ＳＡ，ＳＢ，ＳＣは、自己の設定発光量を受信に係る発光量に設定し直す。
【０１１４】
＜ステップＳ２１６、Ｓ２１７＞
その後、レリーズスイッチＳＷ２がＯＮされると、システムコントローラ５０は、マスターストロボＭ、及びマスターストロボＭを介してスレーブストロボＳＡ，ＳＢ，ＳＣに対して、本発光を指示する。この場合、マスターストロボＭは、光通信により、本発光指示コマンドをスレーブストロボＳＡ，ＳＢ，ＳＣに対して送信する（図１２時刻ｔ７の光パルスＰＥ参照）。
【０１１５】
そして、カメラ本体１００のシャッタが全開されると同時に、システムコントローラ５０は、マスターストロボＭ、及びマスターストロボＭを介してスレーブストロボＳＡ，ＳＢ，ＳＣに対して、本発光スタート信号を出力する。この場合、マスターストロボＭは、光通信により、本発光スタート信号をスレーブストロボＳＡ，ＳＢ，ＳＣに対して送信する（図１２時刻ｔ８の光パルスＥＰ参照）。
【０１１６】
これにより、ステップＳ２１５で設定した適正光量でマスターストロボＭ、スレーブストロボＳＡ〜ＳＣが本発光し、その本発光に係る光量の下で撮影動作が行われる。
【０１１７】
次に、図７のＳ１０７、及び図１１のＳ２１３で各ストロボ装置の発光量（本発光量：適正光量）が一旦設定された後、ユーザが絞り値を変更した場合の処理を、図１３のフローチャートに基づいて詳細に説明する。
【０１１８】
＜ステップＳ３０１＞
システムコントローラ５０は、測光結果に基づいて適正光量を算出・設定した後、ユーザが設定に係る絞り値を変更した場合は、ユーザ設定のストロボ装置の数に応じて、各ストロボ装置の発光量を再演算・再設定を行う。例えば、スレーブストロボＳＡが「−３（１／８発光）」の場合に、ユーザが絞り値を２段絞った値に変更したとすると、システムコントローラ５０は、スレーブストロボＳＡの発光量を「−１（１／２発光）」に変更して再設定する。システムコントローラ５０は、他のスレーブストロボＳＢ、ＳＣも同様にして発光量の再設定を行う。
【０１１９】
＜ステップＳ３０２＞
システムコントローラ５０は、ステップＳ３０１で再設定した各スレーブストロボＳＡ〜ＳＣの発光量の中で最小の発光量が、当該スレーブストロボの制御可能範囲外である場合は、ステップＳ３０３に進み、制御可能範囲内の場合はステップＳ３０６に進む。
【０１２０】
＜ステップＳ３０３、Ｓ３０４、Ｓ３０５＞
システムコントローラ５０は、制御可能範囲外の場合であって、当該ストロボ装置においてオートシフトモードが設定されている場合（露出制御パラメータ変更モード）は、ステップＳ３０５で、ＩＳＯ感度を変更する。そうすることで、ストロボの制御可能範囲内の発光量で可及的に再設定に係る発光量に相当する露出が得られるようにする。
【０１２１】
一方、オートシフトモードが設定されていない場合（露出制御パラメータ不変更モード）は、例えば、図９（ｂ）に示すように、制御可能範囲外となるスレーブストロボの発光量表示を点滅して、ユーザに警告する（ステップＳ３０４）。
【０１２２】
＜ステップＳ３０６＞
システムコントローラ５０は、ステップＳ３０１で再演算された各ストロボＭ，ＳＡ，ＳＢ，ＳＣの発光量を、各ストロボＭ，ＳＡ，ＳＢ，ＳＣに対して送信する。この場合、スレーブストロボＳＡ，ＳＢ，ＳＣへの発光量の送信は、マスターストロボＭが光通信により行う。
【０１２３】
＜ステップＳ３０７＞
各ストロボＭ，ＳＡ，ＳＢ，ＳＣは、自己の設定発光量を受信に係る発光量に設定し直す。なお、図７のＳ１０７、及び図１１のＳ２１３で各ストロボ装置の発光量が一旦設定された後、ユーザがＩＳＯ感度を変更した場合の処理は、図１３のフローチャートで絞りとＩＳＯ感度を置き換えただけであるので詳細な説明は省略する。この場合、ステップＳ３０５に相当する処理において、絞り値を変更することで、ストロボの制御可能範囲内の発光量で可及的に再設定に係る発光量に相当する露出が得られるようにする。
【０１２４】
また、図７のＳ１０７、及び図１１のＳ２１３で各ストロボ装置の発光量が一旦設定された後、ユーザが絞り値とＩＳＯ感度を変更した場合、即ち、調光補正を行った場合の処理もほぼ同様であるので詳細な説明は省略する。この場合、ステップＳ３０５に相当する処理において、絞り値又はＩＳＯ感度を変更することで、ストロボの制御可能範囲内の発光量で可及的に再設定に係る発光量に相当する露出が得られるようにする。
【０１２５】
以上の処理により、マニュアル発光の設定でありながら、オートシフトモードを設定しておくことで、測光結果に応じた適正発光量に自動的に設定することができ、露出の決定動作を容易に行う事が可能になった。
【０１２６】
さらに、露出制御パラメータ（絞り値又はＩＳＯ感度、或は絞り値とＩＳＯ感度など）の値を変更した場合でも、発光量または、他の露出制御パラメータの値を自動的に変更する事で、常に適正な露出を得ることが可能になった。
【０１２７】
なお、本発明は、上記の実施の形態に限定されることなく、種々、応用変形することができる。例えば、上記の実施の形態では、キセノン管をパルス発光させて、マスターストロボからスレーブストロボに対して情報を通信していたが、この情報は電波を用いて伝達することも可能である。この場合は、図３に示したフォトダイオード４５６、及び受光回路４５７の代わりに、アンテナ、及び送受信回路を設ければよい。
【０１２８】
また、オートシフトモードの下で絞り値、及び撮影感度を変更しても適正露出を維持できない場合は、その旨の警告情報を表示することも可能である。この警告情報には、適正露出のまま撮影するか否かの操作ボタンを併せて表示するのが望ましい。
【符号の説明】
【０１２９】
１００…カメラ本体
４００…ストロボ発光装置
５０…システム制御回路
６６…マルチ設定スイッチ
７０…操作部
７２…光通信部
【図１】
2011059406.tif 000003
【図２】
2011059406.tif 000004
【図３】
2011059406.tif 000005
【図４】
2011059406.tif 000006
【図５】
2011059406.tif 000007
【図６】
2011059406.tif 000008
【図７】
2011059406.tif 000009
【図８】
2011059406.tif 000010
【図９】
2011059406.tif 000011
【図１０】
2011059406.tif 000012
【図１１】
2011059406.tif 000013
【図１２】
2011059406.tif 000014
【図１３】
2011059406.tif 000015